(57)【要約】【課題】車軸ロータリ式の歩行型管理機を運転する作業者の足元を保護できる有効な防護手段を提供する。【解決手段】耕耘爪１０の上方を覆うフェンダ１４の後端に、側面視でヒッチ１２と近接もしくは重合し、且つ培土器２０等の作業機２０を装着可能な空間Ｓを存するガード体２５Ｌ，２５Ｒを設けることにより、機体の旋回抵抗を軽減すべく操縦ハンドル１６Ｌ，１６Ｒをやや持ち上げながら旋回する際、作業者の足元が耕耘爪１０に近づいた場合でも、両ガード体２５Ｌ，２５Ｒで作業者の足元を保護できるように構成した。【選択図】図９
2008187953.tif 000002
【特許請求の範囲】
【請求項１】
エンジン（４）の後方に操縦ハンドル（１６Ｌ，１６Ｒ）を備え、前記エンジン（４）の動力を伝動ケース（３）に伝達して、該伝動ケース（３）から左右に突出する耕耘軸（９）に取り付けた耕耘爪（１０）の回転により圃場を耕耘すると共に、前記伝動ケース（３）の後方にヒッチ（１２）を設けた歩行型管理機において、前記耕耘爪（１０）の上方を覆うフェンダ（１４）の後端に、側面視でヒッチ（１２）と近接もしくは重合し、且つ作業機（２０）を装着可能な空間（Ｓ）を存するガード体（２５Ｌ，２５Ｒ）を設けたことを特徴とする歩行型管理機。
【発明の詳細な説明】
【技術分野】
【０００１】
本発明は、耕耘作業や除草作業を行うことができる歩行型管理機に関する。
【背景技術】
【０００２】
従来、機体から後方に延設される操縦ハンドルと、耕耘爪を取り付けた耕耘軸を伝動ケースを介して回転駆動させる原動機と、前記伝動ケースの後部に設けたヒッチに取り付けられて土中に差し込まれた状態で機体に推進抵抗を与える抵抗棒とを備えて、前記耕耘爪の回転により耕耘しながらの走行が可能な所謂車軸ロータリ式の歩行型管理機では、操縦ハンドルの上下操作によって耕耘爪の前進力を制御しながら、当該耕耘爪を耕土中に沈下させての耕耘作業や、更に前記ヒッチに培土器を装着して畝立て作業等を行うことができるようになっている。そして、このような歩行型管理機として、例えば特許文献１のものが公知である。
【特許文献１】実開昭５９−１１７３０８号公報（第１図及び第２図）
【発明の開示】
【発明が解決しようとする課題】
【０００３】
しかし、上述した特許文献１のような歩行型管理機では、回転する耕耘爪によって跳ね上げられる石ころ等の異物が飛散することを防止すべく、耕耘爪の上方を覆う略平板状のフェンダを設けているものの、歩行型管理機を運転する作業者の足元を保護する有効な防護手段は設けておらず、この不具合を改善することが期待されていた。
【課題を解決するための手段】
【０００４】
本発明は、上記課題を解決することを目的として創案したものであって、エンジンの後方に操縦ハンドルを備え、前記エンジンの動力を伝動ケースに伝達して、該伝動ケースから左右に突出する耕耘軸に取り付けた耕耘爪の回転により圃場を耕耘すると共に、前記伝動ケースの後方にヒッチを設けた歩行型管理機において、前記耕耘爪の上方を覆うフェンダの後端に、側面視でヒッチと近接もしくは重合し、且つ作業機を装着可能な空間を存するガード体を設けたことを特徴としている。
【発明の効果】
【０００５】
本発明によれば、耕耘爪の上方を覆うフェンダの後端に、側面視でヒッチと近接もしくは重合し、且つ作業機を装着可能な空間を存するガード体を設けたことによって、前記ヒッチに作業機である培土器や溝切器を無理なく装着することができると共に、歩行型管理機を運転する作業者が機体の旋回抵抗を軽減すべく、操縦ハンドルをやや持ち上げながら旋回する際、作業者の足元が耕耘爪に近づいた場合でも、前記ガード体で作業者の足元を保護できるようになる。
【発明を実施するための最良の形態】
【０００６】
本発明の実施の形態を図面に基づいて説明する。図１は、本発明が適用される歩行型管理機１の斜視図、また図２及び図３は左右の側面図であって、この歩行型管理機１は、機体フレーム２に伝動（ミッション）ケース３を上下方向に傾斜させて配設すると共に、該ミッションケース３の上部に動力源であるエンジン４を搭載している。
【０００７】
そして、ミッションケース３の上部及びエンジン４の左側面には、該エンジン４の動力をミッションケース３の図示しない入力軸に伝達するベルト伝動装置と、該ベルト伝動装置を覆うベルトカバー５を設けている。また、エンジン４の上部には、ステー６を介して燃料タンク７を装着すると共に、この燃料タンク７の周囲を覆うプラスチック製のエンジンカバー（ボンネット）８を設けている。
【０００８】
そして、ミッションケース３の下部には、エンジン４から出力される動力によって駆動する耕耘軸９が左右に突出しており、この耕耘軸９の周囲に複数本の耕耘爪１０（ロータリ爪）を螺設すると共に、当該耕耘軸９の左右両端には、円盤状の側板１１を夫々取付けてある。
【０００９】
更に、ミッションケース３の上下中途部から後方に向けてヒッチ１２を延設する共に、このヒッチ１２には、下方に向けて突出する抵抗棒１３を取り付けている。また、エンジン４の下方には、回転する耕耘爪１０による泥土の跳ね上がりを防止すべく、当該耕耘爪１０の上方を覆う略平板状のフェンダ１４を設けている。
【００１０】
一方、ミッションケース３の後部から斜め後方に向けてハンドルフレーム１５を突設すると共に、このハンドルフレーム１５から機体後方に向けて左右の操縦ハンドル１６Ｌ，１６Ｒを延設している。そして、左側の操縦ハンドル１６Ｌには、主クラッチレバー１７を設けると共に、右側の操縦ハンドル１６Ｒには、スロットルレバー１８を配設してある。
【００１１】
即ち、本発明の歩行型管理機１は、走行車輪を備えておらず、耕耘爪１０の回転により耕耘しながらの走行が可能な所謂車軸ロータリ式の小型管理機であって、作業者は、左右の操縦ハンドル１６Ｌ，１６Ｒを把持しながら、両ハンドル１６Ｌ，１６Ｒを下方に強く押しつけることによって、ヒッチ１２に取り付けた抵抗棒１３を土中に挿入し、この抵抗棒１３にある程度の抵抗を与えることで耕起作業時における機体姿勢の安定を図っている。
【００１２】
また、左右の操縦ハンドル１６Ｌ，１６Ｒは、締め込み式のノブ付ボルト１９を介して上下調節自在にハンドルフレーム１５に取り付けてあり、歩行型管理機１を運転する作業者の体格や作業内容によって、適宜上下調節が行えるようになっている。
【００１３】
そして、上述した抵抗棒１３の土中への挿入深さの調節は、該抵抗棒１３の基部に穿孔した複数の深さ調節穴（不図示）の中から所望の調節穴を選択し、該調節穴とヒッチ１２のボス２１に設けた装着穴２１ａにクレビスピン２２を挿通することによって簡単に行うことができるようになっている。
【００１４】
尚、機体フレーム２前部には、歩行型管理機１の運搬やトラック等への積載作業時の運搬用把手を兼ねるバンパー２３を設けている。また、図４及び図５は、上述したヒッチ１２に、畝立て作業を行う培土器（作業機）２０を装着した状態を示す歩行型管理機１の左側面及び平面図である。
【００１５】
ところで、耕耘爪１０の上方を覆う略平板状のフェンダ１４は、主として、回転する耕耘爪１０によって跳ね上げられる泥土が、耕耘爪１０の上方にあるエンジン４にかかることを防止するために設けたものであって、歩行型管理機１を運転する作業者の足元を保護する有効な防護手段を兼ねるものではなかった。
【００１６】
そこで、本発明では、上述した略平板状のフェンダ１４の左右両側に樹脂製の補助フェンダ２４Ｌ，２４Ｒを載置した状態で螺設して、両補助フェンダ２４Ｌ，２４Ｒによる耕耘爪１０の被装面積を増加させると共に、両補助フェンダ２４Ｌ，２４Ｒの後端に後下がりの左右一対のガード体２５Ｌ，２５Ｒを夫々設けている。
【００１７】
この左右一対のガード体２５Ｌ，２５Ｒは、補助フェンダ２４Ｌ，２４Ｒと同様に樹脂成形されており、図６に示すように、蝶番３１を介して上方揺動自在に支承すると共に、図中実線で示す如くガード体２５Ｌ，２５Ｒの先端部と補助フェンダ２４Ｌ，２４Ｒの終端部の当接（Ａ部）により、両ガード体２５Ｌ，２５Ｒの補助フェンダ２４Ｌ，２４Ｒに対する下方揺動が規制されるようになっている。
【００１８】
更に詳しくは、上述した左右一対のガード体２５Ｌ，２５Ｒは、側面視でヒッチ１２と近接もしくは重合し、且つ培土器（作業機）２０を装着可能な空間Ｓを存して上方揺動自在に支承されている。
【００１９】
尚、補助フェンダ２４Ｌ，２４Ｒの後端に後下がりに支承する左右一対のガード体２５Ｌ，２５Ｒの先端Ｅを、図７に二点鎖線Ｂで示すように、側面視で耕耘軸９の近傍まで延出させてもよい。そして、両ガード体２５Ｌ，２５Ｒの形状は、例えば図８及び図９に示すような様々な形状に形成することができる。また、補助フェンダ２４Ｌ，２４Ｒを図９に示すようにフェンダ１４の下側に螺設してもよく、更にフェンダ１４に両ガード体２５Ｌ，２５Ｒを直接支承するように構成することも可能である。
【００２０】
上述した補助フェンダ２４Ｌ，２４Ｒ及び左右一対のガード体２５Ｌ，２５Ｒは、樹脂成形したものを採用しており、その作用効果は、歩行型管理機１を運転する作業者の足元を保護するだけでなく、回転する耕耘爪１０によって跳ね上げられる石ころ等の異物が作業者の足元に飛散することを防止する役目を果たす。また、本発明の左右一対のガード体２５Ｌ，２５Ｒは、その材質を限定するものではなく、例えば、図１０に示すように、外枠にパイプ３１を用いると共に、このパイプ３１の内側に格子状のプレート３２を組み合わせて一体に溶接形成したものであってもよい。
【００２１】
以上説明したように、エンジン４の後方に操縦ハンドル１６Ｌ，１６Ｒを備え、前記エンジン４の動力をミッション（伝動）ケース３に伝達して、このミッションケース３の下部から左右に突出する耕耘軸９に取り付けた耕耘爪１０の回転により圃場を耕耘すると共に、前記ミッションケース３の後方にヒッチ１２を設けた車軸ロータリ式の歩行型管理機１において、前記耕耘爪１０の上方を覆うフェンダ１４の後端に、側面視でヒッチ１２と近接もしくは重合し、且つ培土器（作業機）２０を装着可能な空間Ｓを存するガード体２５Ｌ，２５Ｒを設けたことによって、前記ヒッチ１２に作業機である培土器２０や溝切器を無理なく装着することができると共に、歩行型管理機１を運転する作業者が機体の旋回抵抗を軽減すべく、操縦ハンドル１６Ｌ，１６Ｒをやや持ち上げながら旋回する際、作業者の足元が耕耘爪１０に近づいた場合でも、前記ガード体２５Ｌ，２５Ｒで作業者の足元を保護できるようになる。
【図面の簡単な説明】
【００２２】
【図１】リヤフェンダの第１実施例を示す歩行型管理機の斜視図。
【図２】歩行型管理機の左側面図（リヤフェンダ第１実施例）。
【図３】歩行型管理機の右側面図（リヤフェンダ第１実施例）。
【図４】培土器を装着した歩行型管理機の左側面図（リヤフェンダ第１実施例）。
【図５】培土器を装着した歩行型管理機の平面図（リヤフェンダ第１実施例）。
【図６】リヤフェンダの支持構成を示す要部側面図（リヤフェンダ第１実施例）。
【図７】培土器を装着した歩行型管理機の左側面図（リヤフェンダ第２実施例）。
【図８】リヤフェンダの第３実施例を示す歩行型管理機の斜視図。
【図９】リヤフェンダの第４実施例を示す歩行型管理機の斜視図。
【図１０】リヤフェンダの第５実施例を示す歩行型管理機の斜視図。
【符号の説明】
【００２３】
３      伝動ケース
４      エンジン
９      耕耘軸
１０    耕耘爪
１２    ヒッチ
１４    フェンダ
１６Ｌ  操縦ハンドル（左）
１６Ｒ  操縦ハンドル（右）
２０    作業機
２５Ｌ  ガード体（左側）
２５Ｒ  ガード体（右側）
Ｓ      平面空間
【図１】
2008187953.tif 000003
【図２】
2008187953.tif 000004
【図３】
2008187953.tif 000005
【図４】
2008187953.tif 000006
【図５】
2008187953.tif 000007
【図６】
2008187953.tif 000008
【図７】
2008187953.tif 000009
【図８】
2008187953.tif 000010
【図９】
2008187953.tif 000011
【図１０】
2008187953.tif 000012